(57)【要約】【課題】  充填材の両面に表面材を貼着した吸音及び遮音機能を備えた間仕切り用パネルの提供。【解決手段】  正面側の表面材１ａの一部に複数の小さい穴２ａ，２ａ・・を貫通した吸音領域４ａを設け、又穴を設けないその他の部分を遮音領域３ａとし、そして上記充填材は複数の空間７ａ・・，７ｂ・・，７ｃ・・に仕切った一定厚さのハニカムコア５ａ，５ｂ，５ｃを複数枚積層した構造とし、ハニカムコア５ａ，５ｂ，５ｃの間には複数の小さい穴８，８・・を設けた薄いシート６ａ，６ｂを介在し、一方、背面側の表面材１ｂには穴を設けた吸音領域４ａと対向する部分を遮音領域３ｂとし、穴を設けない遮音領域３ａと対向する部分を吸音領域４ｂとして設けている。【選択図】    図１
2010031543.tif 000002
【特許請求の範囲】
【請求項１】
充填材の両面に表面材を貼着した間仕切り用パネルにおいて、上記正面側の表面材の一部に複数の小さい穴を貫通した吸音領域を設け、又穴を設けないその他の部分を遮音領域とし、そして上記充填材は複数の空間に仕切った一定厚さのハニカムコアを複数枚積層した構造とし、ハニカムコアの間には複数の小さい穴を設けた薄いシートを介在し、一方、背面側の表面材には穴を設けた吸音領域と対向する部分を遮音領域とし、穴を設けない遮音領域と対向する部分を吸音領域として設けたことを特徴とする間仕切り用の吸音及び遮音パネル。
【請求項２】
充填材の両面に表面材を貼着した間仕切り用パネルにおいて、上記正面側の表面材のほぼ全域に複数の小さい穴を貫通した吸音領域とし、そして上記充填材は複数の空間に仕切った一定厚さのハニカムコアを複数枚積層した構造とし、ハニカムコアの間には複数の小さい穴を設けた薄いシートを介在し、一方、背面側の表面材には穴を設けないで全域遮音領域としたことを特徴とする間仕切り用の吸音及び遮音パネル。
【請求項３】
上記シートとしてアルミ箔又は樹脂フイルムを使用した請求項１、又は請求項２記載の間仕切り用の吸音及び遮音パネル。
【発明の詳細な説明】
【技術分野】
【０００１】
本発明は間仕切りパネルにおいて、吸音機能及び遮音機能を備えたパネルに関するものである。
【背景技術】
【０００２】
間仕切りパネルとはワンフロアーの大きな建物空間を個々の広さをもった部屋に仕切る為に用いられている。図６は従来の一般的な間仕切り装置の断面を含む斜視図を表しているが、パネル（イ）は巾木（ロ）に載って起立し、その上端は天井レール（ハ）に嵌っている。巾木（ロ）は床面に敷設した床レール（ニ）に配置しているアジャスター（ホ）にて適当な高さに支持され、この巾木（ロ）にパネル（イ）が載置されている。
【０００３】
そして、各パネル（イ）、（イ）間にはスタッド（ヘ）が介在して互いに連結している。このように、大きな空間が上記パネル（イ）、（イ）・・・にて仕切られ、適当な大きさの部屋空間を作ることが出来る。ところで、上記パネル（イ）は心材となるペーパーコア（ト）の両面に金属製の表面材（チ）、（チ）を貼着した構造であり、該パネル（イ）は遮音性を備えている。すなわち、パネル（イ）、（イ）・・・にて仕切られることで、隣の部屋に騒音は伝わり難いが、部屋内部で発生した騒音を吸収する機能は存在しない。騒音はパネル面に当って反射するに過ぎず、減衰するには時間がかかる。
【０００４】
勿論、間仕切り用のパネル（イ）とし、表面に金属製の表面材（チ）、（チ）を貼着すると共に、該表面材（チ）、（チ）の上にクロスを貼り合せた構造のパネルであれば、部屋内部で発生する騒音をある程度速やかに吸収する機能を有している。しかし、パネル面をクロス貼りとするに適さない場合もある。
【０００５】
特開２０００−１２０２１６号に係る「間仕切りパネル構造」は、薄く軽量で、かつ高遮音な間仕切り用多層パネル構造であり、２枚の板を板厚方向に間隔を設けて配置し、断面コの字形で枠体状の連結部材を用いて当該板の周囲を連結することによりパネルを構成し、パネルを複数枚空気層を設けて併設すると共に空気層には吸音材が配置され、当該パネルの周囲の一部を断面コの字形の接続部材を用いて接続し一体化している。
【０００６】
特開２００２−１４６７２７号に係る「透光性防音板および防音壁」は、日照や視界を妨げることにない透光性と透視性を有し、かつ好ましい吸音性と遮音性を備えた防音板および防音壁である。
この透光性防音板は、ポリフッ化ビニル、ポリフッ化エチレンなどの厚さ２ｍｍ以下の薄膜状材料に、多数の２ｍｍ以下の孔を設けてなる透光性吸音材、パネル枠材、内部に配置する吸音材、およびポリカーボネート、塩化ビニール、メタクリル樹脂などの透光性遮音板などが、その透光性吸音材と遮音板の間には空気層を設けた形態として、リベット、ビス、接着剤などを用いて組み立てられている。
【特許文献１】特開２０００−１２０２１６号に係る「間仕切りパネル構造」
【特許文献２】特開２００２−１４６７２７号に係る「透光性防音板および防音壁」
【発明の開示】
【発明が解決しようとする課題】
【０００７】
このように、吸音機能や防音機能(遮音機能)を備えたパネルは色々存在している。しかし、間仕切りパネルに上記構造を採用したのでは複雑化すると共に、コストが嵩むことになる。本発明が解決しようとする課題はこの問題点であり、簡単な構造にて、しかも間仕切りパネルとしての外観を損なうことのないように構成した吸音及び遮音パネルを提供する。
【課題を解決するための手段】
【０００８】
本発明に係る間仕切り用の吸音及び遮音パネルは、充填材の両面に表面材を貼着したものであり、パネルとしての基本的な外観形状は従来パネルと共通している。しかし、本発明では上記表面材の一部に複数の小さな穴を貫通し、内部の充填材としは小さい空間で仕切られるハニカムコアが用いられ、しかも複数枚が積層した状態で構成している。ここで、間仕切りパネルとは天井まで届く背丈の高いパネルに限らず、ローパーティション用のパネルも対象とする。
【０００９】
そして、各ハニカムコアの間には複数の穴を形成している薄いシートを介在している。すなわち、ハニカムコアとシートが交互に積層した構造にて充填材を構成している。ところで、表面材は充填材の両面に貼着されるが、小さな穴を設けた吸音領域を所々に形成するが、対向する反対側の表面材には穴を設けていない遮音領域と成っている。すなわち、穴を設けている領域は吸音部と成り、穴を設けていない領域は遮音部と成っていて、吸音部と遮音部は互いに対向した位置に配置されている。しかし、時にはパネル片面のみを吸音領域とする場合もある。
【発明の効果】
【００１０】
本発明の間仕切りパネルは、表面材の一部に複数の小さな穴を設けている領域を有している。従って、部屋内部で騒音が発生した場合、該騒音はパネルの穴を通過して内部へ進入し、内部の充填材にて吸収される。すなわち、パネル内部の充填材はハニカムコアにて構成され、該ハニカムコアの仕切られた空間内へ騒音が進入して減衰する。
【００１１】
又、充填材としてのハニカムコアは複数層で構成されると共に、間には細かい穴を貫通した薄いシートが介在している。従って、表面材の小さな穴から進入した騒音の一部はハニカムコアの仕切り空間にて吸収されるが、他の一部はシートの穴を通過して積層されている隣のハニカムコアの仕切り空間へ進入する。そして、この仕切り空間内で吸収される。
【００１２】
さらに、吸収されなかった騒音の一部はシートの穴を通過して、後方に積層しているハニカムコアの仕切り空間へ進入する。しかし、対向する反対側の表面材には穴が貫通していない為に、隣の部屋へ騒音が伝わることはない。このように、本発明のパネルは１枚で吸音機能と遮音機能の兼ね備えることが出来、しかも、その厚さは従来の間仕切りパネルと同じである。すなわち、パネル両面に吸音機能を有していることで、１枚のパネルにて仕切られる両部屋の騒音抑制が出来る。
【実施例】
【００１３】
図１は本発明に係る間仕切り用の吸音及び遮音パネルの外観を示す実施例であり、（ａ）は正面図、（ｂ）は背面図を夫々表している。パネルの基本構造は充填材を表面材１ａ，１ｂで挟み込んだものであるが、本発明のパネルはその表面材１ａ，１ｂに複数の小さい穴２ａ，２ａ・・・２ｂ，２ｂ・・・を設けている。表面に穴２ａ，２ａ・・、２ｂ，２ｂ・・を設けることで騒音が該穴２ａ，２ａ・・、２ｂ，２ｂ・・を通過して内部へ進入し、内部の充填材にて吸収されるように構成している。
【００１４】
ところで、表面材１ａには穴２ａ，２ａ・・を設けない遮音領域３ａ，３ａ・・と穴２ａ，２ａ・・を有す吸音領域４ａ，４ａ・・が存在し、遮音領域３ａと吸音領域４ａは交互に設けられ、所定の幅にて上下方向に延びている。勿論、遮音領域３ａと吸音領域４ａの仕分けは同図に示す形態に限定するものではない。一定幅の遮音領域３ａと吸音領域４ａを水平方向に延ばす場合もあり、又は桝目状に区切ることも可能である。
【００１５】
そして、遮音領域３ｂと吸音領域４ｂは背面側の表面材１ｂにも同じように形成している。しかし、その形態は正面側とは反対とし、すなわち、遮音領域３ａの背面側は吸音領域４ｂと成り、逆に吸音領域４ａの背面側は遮音領域３ｂとしている。同じパネルにおいて、正面側と背面側とで、遮音領域３と吸音領域４が対を成して設けられている。従って、１枚のパネルで両面側に吸音機能と遮音機能を備えることが出来、しかもその厚さは従来のパネル厚と同一寸法に抑えることが出来る。
【００１６】
図２は遮音領域３ａ，３ａ・・・と吸音領域４ａ，４ａ・・・を桝目状に配列しているパネルの正面側を表している。勿論、この実施例の場合も、背面側の遮音領域３ｂ，３ｂ・・・と吸音領域４ｂ，４ｂ・・・は正面側とは逆の配置に成っている。ところで、表面材１ａに複数の小さい穴２ａ，２ａ・・・を貫通することで、音波はこれら穴２ａ，２ａ・・・を通過してパネル内部へ進入する。穴２ａ，２ａ・・・のない遮音領域３ａ，３ａ・・・に音波が当る場合は反射する。そして、反射した音波は別のパネルの吸音領域４ａ，４ａ・・・に当って穴２ａ，２ａ・・・を通過して内部へ進入する。
【００１７】
図３はパネルの内部を示す断面図である。同図の１ａは正面側の表面材、１ｂは背面側の表面材であって、両表面材１ａ，１ｂの間には３枚のハニカムコア５ａ，５ｂ，５ｃが積層されている。そして、各ハニカムコア５ａ，５ｂの間には薄いシート６ａが介在し、同じくハニカムコア５ｂ，５ｃの間にも薄いシート６ｂが介在している。そして図４はパネルの一部展開図であり、両表面材１ａ，１ｂ、３枚のハニカムコア５ａ，５ｂ，５ｃ、及び２枚のシート６ａ，６ｂを夫々表している。
【００１８】
ここで、上記ハニカムコア５ａ，５ｂ，５ｃとは一定厚さの紙製又は金属製や樹脂製の構造体であり、複数の仕切られた空間７ａ，７ａ・・・、７ｂ，７ｂ・・・、７ｃ、７ｃ・・・を形成している。そして、この空間７ａは隣の空間７ａと側壁９ａにて仕切られているだけで、両面側は開口した貫通穴と成っている。従って、ハニカムコア間にシート６ａを介在することで、この貫通穴は閉じられるが、該シート６ａには小さい穴８，８・・が設けられている。本発明では充填材としての上記ハニカムコア５は広義に解釈し、側壁９にて仕切られる空間７を形成しているものであれば、充填材として使用することが出来る。空間７の形状は特に限定しない。
【００１９】
ところで、間仕切りパネルによって仕切られる空間内で騒音が発生した場合、その音波は周囲に拡散し、その一部はパネルに当る。そして、パネルの吸音領域４ａに当った音波は図４に示すごとく小さな穴２ａを通過してハニカムコア５ａの空間７ａに進入する。この空間７ａは表面材の小さい穴２ａとシート６ａに設けている小さい穴８があるのみで、該空間７ａに進入した音波はハニカムコア５ａの側壁９を振動させてエネルギーを消耗し、直ちに減衰する。
【００２０】
しかし、シートに設けた小さい穴８からは減衰しない一部の音波が通過し、積層されている隣のハニカムコア５ｂの空間７ｂへ進入する。そして、上記空間７ａの場合と同じように、空間７ｂの側壁９ｂを振動させて減衰する。さらに、減衰しない音波はハニカムコア５ｃの空間へ進入する。ハニカムコア５ｃは背面側の表面材１ｂにて閉じられている為に、隣の部屋へ騒音が伝わることはない。
【００２１】
このように、本発明のパネルは吸音領域を有し、この領域に当った音波は穴２ａ，２ａ・・・から内部のハニカムコア５ａ，５ｂ，５ｃの仕切り空間７ａ，７ｂ，７ｃに進入して減衰することが出来る。そして、背面側の表面材１ｂは遮音領域と成っているために、隣の部屋へ騒音が伝わることはない。
【００２２】
吸音領域４ａには小さい複数の穴２ａ，２ａ・・・を有し、この穴２      ａ，２ａ・・・から音波は内部のハニカムコア５ａ，５ｂ，５ｃの仕切り空間７ａ，７ｂ，７ｃへ進入するが、吸音領域４ａに届く全ての騒音が消滅することはない。すなわち、吸音領域４ａに設けている穴２ａ，２ａ・・・の間に当る音波はパネル面から反射する。
【００２３】
一方、上記実施例のパネルは両面に吸音領域４ａ，４ａ・・、４ｂ，４ｂ・・を有している場合であるが、正面側の表面材１ａにのみ吸音領域を設けることも出来る。この場合には、表面材１ａのほぼ全面に小さい穴２ａ，２ａ・・・を貫通したパネルと成る。従って、間仕切りパネルにて仕切られる部屋は一方の部屋だけが吸音効果を有し、他の部屋は吸音効果を備えないことになる。
【図面の簡単な説明】
【００２４】
【図１】本発明に係る吸音及び遮音パネルの正面図と背面図。
【図２】本発明に係る吸音及び遮音パネルの正面図。
【図３】本発明に係る吸音及び遮音パネルの断面図。
【図４】本発明に係る吸音及び遮音パネルの展開図。
【図５】本発明に係る吸音及び遮音パネルの一部断面拡大図。
【図６】従来の間仕切り装置。
【符号の説明】
【００２５】
１  表面材
２  穴
３  遮音領域
４  吸音領域
５  ハニカムコア
６  シート
７  空間
８  穴
９  側壁
【図１】
2010031543.tif 000003
【図２】
2010031543.tif 000004
【図３】
2010031543.tif 000005
【図４】
2010031543.tif 000006
【図５】
2010031543.tif 000007
【図６】
2010031543.tif 000008